(57)【要約】【課題】脚を通しやすいものでありながら、股間部のフィット性に優れるものとする。【解決手段】環状に連続する胴周り部Ｔを有する外装体２０と、前身頃Ｆの胴周り部Ｔの幅方向ＷＤ中間から股間部を経て、後身頃Ｂの胴周り部Ｔの幅方向ＷＤ中間まで延びる、吸収体１３を含む内装体１０とを備え、内装体１０における前身頃Ｆの胴周り部Ｔ及び後身頃Ｂの胴周り部Ｔのそれぞれと重なる部分は、幅方向ＷＤに間隔を空けて位置する複数の幅方向範囲１７に、外装体２０に接合された接合部３０をそれぞれ有し、内装体１０における幅方向範囲１７の間の領域は、外装体２０に接合されず、幅が拡大可能である拡幅領域１８となっており、外装体２０は、胴周り部Ｔと拡幅領域１８とが重なる領域に、胴周り弾性部材２５により幅方向ＷＤに弾性伸縮する伸縮領域を有するパンツタイプ使い捨ておむつである。【選択図】図１１
2018033749.tif 000002
【特許請求の範囲】
【請求項１】
環状に連続する胴周り部を有する外装体と、
前身頃の胴周り部の幅方向中間から、股間部を経て、後身頃の胴周り部の幅方向中間まで延びる、吸収体を含む内装体と、
ウエスト開口及び左右一対の脚開口とを備えた、パンツタイプ使い捨ておむつにおいて、
前記内装体における前記前身頃の胴周り部及び後身頃の胴周り部のそれぞれと重なる部分は、幅方向に間隔を空けて位置する複数の幅方向範囲に、前記外装体に接合された接合部をそれぞれ有しており、
前記内装体における、前記幅方向範囲の間の領域は、前記外装体に接合されておらず、幅が拡大可能である拡幅領域となっており、
前記外装体は、前記胴周り部と前記拡幅領域とが重なる領域に、幅方向に弾性伸縮する伸縮領域を有している、
ことを特徴とするパンツタイプ使い捨ておむつ。
【請求項２】
環状に連続する胴周り部を有する外装体と、
前身頃の胴周り部の幅方向中間から、股間部を経て、後身頃の胴周り部の幅方向中間まで延びる、吸収体を含む内装体と、
ウエスト開口及び左右一対の脚開口とを備えた、パンツタイプ使い捨ておむつにおいて、
前身頃及び後身頃の両方に、前記胴周り部と前記内装体との間を通り、前記内装体の両側縁よりも幅方向両側に延びる、幅方向に弾性伸縮する弾性帯をそれぞれ有しており、
前記弾性帯の両端部は前記外装体に固定され、前記弾性帯の両端部の間の部分は前記外装体に固定されておらず、
前記内装体における前記弾性帯と重なる部分は、幅方向に間隔を空けて位置する複数の幅方向範囲に、前記弾性帯に接合された接合部をそれぞれ有しており、
前記内装体における、前記幅方向範囲の間の領域は、前記外装体及び弾性帯に接合されておらず、幅が拡大可能である拡幅領域となっており、
前記弾性帯は、幅方向に隣り合う前記接合部の間に、自身を切断するためのミシン目を有しており、
前記外装体は、前記胴周り部と前記拡幅領域とが重なる領域に、幅方向に弾性伸縮する伸縮領域を有している、
ことを特徴とするパンツタイプ使い捨ておむつ。
【請求項３】
未使用の自然長の状態における前記内装体の股間幅は、前記外装体を幅方向に最大伸長させたときの前記内装体の股間幅の０．４〜０．７倍である、請求項１又は２記載のパンツタイプ使い捨ておむつ。
【請求項４】
前記外装体は、前身頃の胴周り部から股間部を経て後身頃の胴周り部まで前後方向に一体的に延びるとともに、前身頃の胴周り部と後身頃の胴周り部との間の脚周り形成部に、当該脚周り形成部の前後方向中間に向かうにつれて連続的又は段階的に幅が狭くなる括れ部を有するものであり、
未使用の自然長の状態では、前記内装体の股間幅は前記外装体の股間幅と同じか又はより狭く、
前記外装体の胴周り部を幅方向に１．２倍以上伸長した状態では、前記内装体の股間幅が前記外装体の股間幅よりも広くなる、
請求項１〜３のいずれか１項に記載のパンツタイプ使い捨ておむつ。
【請求項５】
前記拡幅領域は、自然長の状態では、幅方向両側の部分が幅方向に複数回折り返された折り畳み部分となっており、この折り畳み部分が展開することにより前記拡幅領域の幅が拡大する、請求項１〜４のいずれか１項に記載のパンツタイプ使い捨ておむつ。
【発明の詳細な説明】
【技術分野】
【０００１】
本発明は、内装体の幅が変化するパンツタイプ使い捨ておむつに関する。
【背景技術】
【０００２】
パンツタイプ使い捨ておむつは、前身頃及び後身頃に個別に外装体を備えるか又は前身頃から後身頃にかけて延びる一体的な外装体を備えるとともに、この外装体に取り付けられた、吸収体を含む内装体を備えており、外装体の前身頃と後身頃とが両側部において接合されることにより、環状の胴周り部とウエスト開口及び左右一対の脚開口とが形成されているものである。
【０００３】
一般的に、パンツタイプ使い捨ておむつの股間幅は内装体の股間幅により決まり、基本的に大きく変化するものではない。そのため、使用者は、製品サイズの選択により、より適切な股間幅の使い捨ておむつを選択している。
【先行技術文献】
【特許文献】
【０００４】
【特許文献１】特開２０１２−１００８８０号公報
【特許文献２】特開２０１３−１４４０７０号公報
【発明の概要】
【発明が解決しようとする課題】
【０００５】
しかしながら、製品サイズの選択だけでは股間幅の個人差に対して完全に対応できるものではない。すなわち、股間幅を十分に広く設計することにより、内腿の付根に対するフィット性を確保することが一般的であるが、その場合、おむつを穿くときに、足の指が股間部に引っ掛かりやすくなり、脚が通しにくいものとなってしまう。かといって、股間幅を狭く設計すると、脚は通しやすくなるものの、内腿の付根に対するフィット性が低下し、漏れを引き起こすおそれがある。
【０００６】
そこで、本発明は、装着の際に脚を通しやすいものでありながら、股間部のフィット性に優れるパンツタイプ使い捨ておむつを提供することにある。
【課題を解決するための手段】
【０００７】
上記課題を解決した本発明の代表的態様は次のとおりである。
＜第１の態様＞
環状に連続する胴周り部を有する外装体と、
前身頃の胴周り部の幅方向中間から、股間部を経て、後身頃の胴周り部の幅方向中間まで延びる、吸収体を含む内装体と、
ウエスト開口及び左右一対の脚開口とを備えた、パンツタイプ使い捨ておむつにおいて、
前記内装体における前記前身頃の胴周り部及び後身頃の胴周り部のそれぞれと重なる部分は、幅方向に間隔を空けて位置する複数の幅方向範囲に、前記外装体に接合された接合部をそれぞれ有しており、
前記内装体における、前記幅方向範囲の間の領域は、前記外装体に接合されておらず、幅が拡大可能である拡幅領域となっており、
前記外装体は、前記胴周り部と前記拡幅領域とが重なる領域に、幅方向に弾性伸縮する伸縮領域を有している、
ことを特徴とするパンツタイプ使い捨ておむつ。
【０００８】
（作用効果）
第１の態様のパンツタイプ使い捨ておむつでは、脚開口に脚を通す際には、胴周り部を広げる方向の力がほとんど加わらないため、胴周り部の伸縮領域は幅方向に伸長しておらず、拡幅領域も幅方向に拡大していない状態にある。つまり内装体は最小幅の状態にある。この状態からパンツタイプ使い捨ておむつを引き上げて装着状態までもっていくと、胴周り部を広げる方向の力が加わるため、伸縮領域が幅方向に伸長し、これに伴い拡幅領域も拡大し、内装体の幅が拡大する。したがって、脚を通す際には内装体の幅が狭いため股間部に脚が引っ掛かりにくくなり、装着後は内装体の幅が拡大して股間部において内腿の付根にしっかりとフィットさせることができる。しかも、内装体の幅は弾性力により拡大されており、拡大後の幅を維持する方向に弾性力が作用するため、良好なフィット性が維持される。そして、特に第１の態様では、装着者の体の大きさの目安となる胴周り寸法に応じて自動的に内装体の幅が変化するため、フィット性により優れたものとなる。
【０００９】
＜第２の態様＞
環状に連続する胴周り部を有する外装体と、
前身頃の胴周り部の幅方向中間から、股間部を経て、後身頃の胴周り部の幅方向中間まで延びる、吸収体を含む内装体と、
ウエスト開口及び左右一対の脚開口とを備えた、パンツタイプ使い捨ておむつにおいて、
前身頃及び後身頃の両方に、前記胴周り部と前記内装体との間を通り、前記内装体の両側縁よりも幅方向両側に延びる、幅方向に弾性伸縮する弾性帯をそれぞれ有しており、
前記弾性帯の両端部は前記外装体に固定され、前記弾性帯の両端部の間の部分は前記外装体に固定されておらず、
前記内装体における前記弾性帯と重なる部分は、幅方向に間隔を空けて位置する複数の幅方向範囲に、前記弾性帯に接合された接合部をそれぞれ有しており、
前記内装体における、前記幅方向範囲の間の領域は、前記外装体及び弾性帯に接合されておらず、幅が拡大可能である拡幅領域となっており、
前記弾性帯は、幅方向に隣り合う前記接合部の間に、自身を切断するためのミシン目を有しており、
前記外装体は、前記胴周り部と前記拡幅領域とが重なる領域に、幅方向に弾性伸縮する伸縮領域を有している、
ことを特徴とするパンツタイプ使い捨ておむつ。
【００１０】
（作用効果）
第２の態様のパンツタイプ使い捨ておむつでは、脚開口に脚を通す際には、胴周り部を広げる方向の力がほとんど加わらないため、胴周り部の伸縮領域及び弾性帯は幅方向に伸長しておらず、拡幅領域も幅方向に拡大していない状態にある。つまり内装体は最小幅の状態にある。この状態からパンツタイプ使い捨ておむつを引き上げて装着状態までもっていくと、胴周り部を広げる方向の力が加わり、伸縮領域及び弾性帯が幅方向に伸長し、弾性帯がミシン目で自動的に切断する。この弾性帯の分断に伴い、弾性帯の収縮力が、内装体の接合部を外装体の固定部側に引き寄せるように作用することにより、内装体の拡幅領域が拡大し、内装体の幅が拡大する。したがって、脚を通す際には内装体の幅が狭いため股間部に脚が引っ掛かりにくくなり、装着後は内装体の幅が拡大して股間部において内腿の付根にしっかりとフィットさせることができる。しかも、内装体の幅は弾性力により拡大されており、拡大後の幅を維持する方向に弾性力が作用するため、良好なフィット性が維持される。そして、特に第２の態様では、外装体の伸縮性を利用して内装体の幅拡大を行う第１の態様と異なり、内装体の幅拡大を行う弾性帯を追加したことにより、外装体の伸縮性に影響を与えることなく、独立的に内装体の幅拡大を行うことができ、外装体のフィット性と内装体のフィット性とを独立に設定することができる。
【００１１】
＜第３の態様＞
未使用の自然長の状態における前記内装体の股間幅は、前記外装体を幅方向に最大伸長させたときの前記内装体の股間幅の０．４〜０．７倍である、第１又は２の態様のパンツタイプ使い捨ておむつ。
【００１２】
（作用効果）
内装体の股間幅の変化は小さすぎたり、大きすぎたりすると、穿きやすさ及び股間部のフィット性のいずれか又は両方が不十分となるおそれがあるため、通常は上記範囲内とすることが望ましい。
【００１３】
＜第４の態様＞
前記外装体は、前身頃の胴周り部から股間部を経て後身頃の胴周り部まで前後方向に一体的に延びるとともに、前身頃の胴周り部と後身頃の胴周り部との間の脚周り形成部に、当該脚周り形成部の前後方向中間に向かうにつれて連続的又は段階的に幅が狭くなる括れ部を有するものであり、
未使用の自然長の状態では、前記内装体の股間幅は前記外装体の股間幅と同じか又はより狭く、
前記外装体の胴周り部を幅方向に１．２倍以上伸長した状態では、前記内装体の股間幅が前記外装体の股間幅よりも広くなる、
第１〜３のいずれか１つの態様のパンツタイプ使い捨ておむつ。
【００１４】
（作用効果）
第４の態様では、外装体により股間部をしっかりと支持する構造を基本としつつ、脚を通すときには内装体の股間幅を外装体の股間幅以下の狭さにして脚の通しやすさを最大限発揮させ、装着時には内装体の股間幅を外装体の股間幅より広くして内腿の付け根に対するフィット性を向上させることができる。
【００１５】
＜第５の態様＞
前記拡幅領域は、自然長の状態では、幅方向両側の部分が幅方向に複数回折り返された折り畳み部分となっており、この折り畳み部分が展開することにより前記拡幅領域の幅が拡大する、第１〜４のいずれか１つの態様のパンツタイプ使い捨ておむつ。
【００１６】
（作用効果）
このような構造とすることにより、特別な伸縮素材や特別な伸縮構造を用いなくても、本技術分野で公知の手法により伸縮変化の大きな拡幅領域を形成することができる。
【発明の効果】
【００１７】
以上のとおり、本発明によれば、装着の際に脚を通しやすいものでありながら、股間部のフィット性に優れるようになる、等の利点がもたらされる。
【図面の簡単な説明】
【００１８】
【図１】展開状態のパンツタイプ使い捨ておむつの平面図（内面側）である。
【図２】展開状態のパンツタイプ使い捨ておむつの平面図（外面側）である。
【図３】弾性部材のカットパターンを示す平面図である。
【図４】図１のＣ−Ｃ断面図である。
【図５】図１のＡ−Ａ断面図である。
【図６】図１のＢ−Ｂ断面図である。
【図７】展開状態の内装体の平面図である。
【図８】図７のＤ−Ｄ断面図である。
【図９】パンツタイプ使い捨ておむつの装着状態の斜視図である。
【図１０】自然長状態のパンツタイプ使い捨ておむつの内面を概略的に示す平面図である。
【図１１】図１０のＥ−Ｅ断面図である。
【図１２】展開状態のパンツタイプ使い捨ておむつの内面を概略的に示す平面図である。
【図１３】図１２のＥ−Ｅ断面図である。
【図１４】自然長状態のパンツタイプ使い捨ておむつの内面を概略的に示す平面図である。
【図１５】図１４のＦ−Ｆ断面図である。
【図１６】展開状態のパンツタイプ使い捨ておむつの内面を概略的に示す平面図である。
【図１７】図１６のＦ−Ｆ断面図である。
【発明を実施するための形態】
【００１９】
以下、本発明の一実施形態について、添付図面を参照しつつ詳説する。なお、図中の点模様部分及びＸ印部分はホットメルト接着剤等の接合手段を示している。
【００２０】
図１〜図１７はパンツタイプ使い捨ておむつの一例を示している。このパンツタイプ使い捨ておむつ（以下、単におむつともいう。）は、環状に連続する胴周り部Ｔを有する外装体２０と、前身頃Ｆの胴周り部の幅方向ＷＤの中間から、股間部を経て、後身頃Ｂの胴周り部の幅方向ＷＤの中間まで延びる、吸収体１３を含む内装体１０とを備えるものである。製造に際しては、外装体２０の内面に対して内装体１０の裏面がホットメルト接着剤などの接合手段によって接合（図２の点模様部分）された後に、内装体１０および外装体２０が前身頃Ｆ及び後身頃Ｂの境界である前後方向ＬＤ中央で折り畳まれ、その両側部が相互に溶着又はホットメルト接着剤などによって接合されてサイドシール部２１が形成されることによって、ウエスト開口及び左右一対の脚開口が形成されたパンツタイプ使い捨ておむつとなる。
【００２１】
（内装体の構造例）
内装体１０は、図５〜図８に示すように、液透過性トップシート１１と、ポリエチレン等からなる液不透過性シート１２との間に、吸収体１３を介在させた構造を基本としており、表面シート１１を透過した排泄液を吸収保持するものである。内装体１０の平面形状は特に限定されないが、図示形態のように略長方形とすることが一般的である。
【００２２】
吸収体１３の表側（肌当接面側）を覆う液透過性のトップシート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１１に多数の透孔を形成した場合には、尿などが速やかに吸収されるようになり、ドライタッチ性に優れたものとなる。図示形態では、トップシート１１は、吸収体１３の側縁部を巻き込んで吸収体１３の裏側まで延在しているが、これに限定されるものではない。
【００２３】
吸収体１３の裏側（非肌当接面側）を覆う液不透過性シート１２は、ポリエチレン又はポリプロピレンなどの液不透過性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートである。
【００２４】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２５】
内装体１０の両側部には、肌側に立ち上がる立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、不織布等のシートを折り返すことによって二層構造としたギャザーシート１５により形成されている。
【００２６】
また、ギャザーシート１５の層間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００２７】
図示形態では、液不透過性シート１２がギャザーシート１５の層間まで延びており、図５に示されるように、立体ギャザーＢＳの下端側において防漏壁を構成するようになっているが、これに限定されるものではない。
【００２８】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は１０．０ｍｍ以下として配設するのがよい。なお、ギャザー弾性部材１６としては、図示形態のような糸状の他、ある程度の幅を有するテープ状のものを用いることもできる。
【００２９】
前述のギャザーシート１５を不織布とする場合、その素材繊維もトップシート１１と同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザーシート１５の不織布については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３０】
（外装体の構造例）
図示形態の外装体２０は、前身頃Ｆの胴周り部Ｔから股間部を経て後身頃Ｂの胴周り部Ｔまで前後方向ＬＤに一体的に延びるとともに、前身頃Ｆの胴周り部Ｔと後身頃Ｂの胴周り部Ｔとの間の脚周り形成部Ｌに、当該脚周り形成部Ｌの前後方向ＬＤの中間に向かうにつれて連続的又は段階的に幅が狭くなる括れ部２９を有するものとなっている。つまり、図示形態の外装体２０の平面形状は、両側部にそれぞれ脚開口を形成するために形成された凹状の脚周りラインにより、全体としてほぼ砂時計形状をなしている。環状に連続する胴周り部Ｔを有する限り、図示しないが、前身頃Ｆの胴周り部Ｔを含む部分を構成する前側外装体２０と、後身頃Ｂの胴周り部Ｔを含む部分を構成する後側外装体２０とを、股間部で前後方向ＬＤに離間するように別々に設けることもできる。
【００３１】
外装体２０は、図４〜図６にも示されるように、それぞれ不織布等からなる第１シート２０Ａ及び第２シート２０Ｂ（つまり、この形態では第２シートが物品外面を形成する）からなる２層構造の不織布シートとされ、第１シート２０Ａと第２シート２０Ｂとの間、及び第２シート２０Ｂをウエスト開口縁で内面側に折り返してなる折り返し部分２０Ｃの不織布間に各種弾性部材２４〜２８が配設され、伸縮領域が形成されている。図示形態では弾性部材として、糸ゴム等の細長状弾性部材が設けられているが、網状やフィルム状の弾性部材を用いることもできる。
【００３２】
第１シート２０Ａ及び第２シート２０Ｂはそれぞれ一枚の基材から構成される他、いずれか一方又は両方は複数枚の不織布等の基材が張り合わされて形成された積層体であっても良い。
【００３３】
図示形態の外装体２０においては、弾性部材として、図１〜図３に示される展開形状において、胴周り部Ｔのウエスト開口近傍２３に配置されたウエスト部弾性部材２４と、このウエスト弾性部材２４を有する領域より股間側における胴周り部Ｔ及び脚周り形成部Ｌに、縦方向に間隔をおいて幅方向ＷＤに沿って配置された複数の胴周り弾性部材２５，２７とを有するとともに、前身頃Ｆ及び後身頃Ｂのそれぞれにおいて、胴周り弾性部材群２５，２７とは別に、一方のサイドシール部２１から一方の脚開口に沿って股間部に向かい、股間部を横断し、かつ他方の脚開口に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚周りラインに沿って前身頃Ｆのサイドシール部から後身頃Ｂのサイドシール部まで連続する、所謂脚周り弾性部材は設けられていない。
【００３４】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体のウエスト部回りを締め付けるように伸縮力を与えることによりおむつを身体に装着するためのものである。ウエスト部弾性部材２４は、ある程度の広さのフィット用伸縮部を形成するように２〜１０ｍｍ、好ましくは４〜７ｍｍ程度の間隔を空けて、２本以上、好ましくは５本以上配置される。このウエスト部弾性部材２４は、糸状のものの他、テープ状のものを用いてもよい。また、図示形態のウエスト部弾性部材２４は、ウエスト部における第２シート２０Ｂの折り返し部分２０Ｃの不織布間に挟持されているが、第１シート２０Ａと第２シート２０Ｂとの間に挟持しても良い。
【００３５】
胴周り弾性部材２５，２７は、ウエスト弾性部材２４を有する領域より股間側に、縦方向に間隔をおいて配置された糸ゴム等の細長状弾性部材であり、図示形態では胴周り部Ｔに配置されたもの２５と、脚周り形成部Ｌに配置されたもの２７とを備えている。胴周り弾性部材２５，２７は、前身頃Ｆ及び後身頃Ｂの胴周り部Ｔ及び脚周り形成部Ｌにそれぞれ幅方向ＷＤの伸縮力を与え、おむつを身体に密着させるためのものである。胴周り弾性部材２５，２７は、ある程度の広さのフィット用伸縮部を形成するように２〜１５ｍｍ、好ましくは５〜１０ｍｍ程度の間隔を空けて、２０本以上、好ましくは４０本以上配置される。なお、ウエスト部弾性部材２４と胴周り弾性部材２５との境界は、胴周り部Ｔ内で幅方向ＷＤの伸縮応力が変化する（例えば弾性部材の太さや伸長率が変化する）場合は、最もウエスト開口側における変化の境界となり、このような境界が無い場合は吸収体１３又は内装体１０のウエスト開口側の縁が境界となる。
【００３６】
後身頃Ｂにおいて、胴周り弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では５本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、ある程度の広さのフィット用伸縮部を形成するように３〜２０ｍｍ、好ましくは６〜１６ｍｍ程度の間隔を空けて、３本以上、好ましくは５本以上配置される。
【００３７】
外装体２０の前身頃Ｆにおいて、胴周り弾性部材２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、ある程度の広さのフィット用伸縮部を形成するように３〜２０ｍｍ、好ましくは６〜１６ｍｍ程度の間隔を空けて、３本以上、好ましくは５本以上配置される。
【００３８】
なお、図示例では、前身頃Ｆ及び後身頃Ｂに配置された胴周り弾性部材２５，２７及び湾曲弾性部材２６，２８は、図３に示すように、製造時に外装体２０に対して連続的に固定した後に、内装体１０と重なる部分の一部又は全部が、所定の切断パターンＣＰで細かく切断されて収縮力が作用しない非伸縮領域（つまり、図３の切断パターンＣＰと重なる部分）とされ、この非伸縮領域より側方の部分が収縮力の作用する伸縮領域（つまり、図３の切断パターンＣＰより側方の、胴周り弾性部材２５，２７及び湾曲弾性部材２６，２８が連続的に残された部分）とされている。このため、胴周り弾性部材２５，２７及び湾曲弾性部材２６，２８は、一方側のサイドシール部２１から内装体１０を横切って他方（反対）側のサイドシール部２１まで連続的に設けた後に、内装体１０と重なる部分の多数個所で細かく切断されるか、又は一か所で切断される。これにより、内装体１０（特に吸収体１３）の幅方向ＷＤの縮こまりをより防止することができる。もちろん、胴周り弾性部材２５，２７及び湾曲弾性部材２６，２８を、内装体１０を横切って連続的に配置することもできる。
【００３９】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４０】
図示例とは異なり、湾曲弾性部材２６，２８を、前身頃Ｆ及び後身頃Ｂのいずれか一方にのみ設けるだけでも、また両方ともに省略しても良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向ＬＤの中間部、特に前身頃Ｆに若干偏った位置で縦方向に離間している形態が好適であり、その縦方向離間範囲における最小縦方向離間距離は１０〜１５ｍｍ程度とし、この部分に後述する広幅の固定領域を設けるのが好ましい。
【００４１】
さらに、湾曲弾性部材２６，２８はその全体が湾曲していなくても良く、部分的に直線状の部分を有していても良い。
【００４２】
弾性部材２４〜２８の固定時の伸長率は適宜定めることができるが、通常の成人用の場合、ウエスト部弾性部材２４は２３０〜３２０％程度、胴周り弾性部材２５は２３０〜３２０％程度、湾曲弾性部材２６，２８は２３０〜３２０％程度とすることができる。
【００４３】
（拡幅領域）
特徴的には、内装体１０における前身頃Ｆの胴周り部Ｔ及び後身頃Ｂの胴周り部Ｔのそれぞれと重なる部分は、幅方向ＷＤに間隔を空けて位置する複数の幅方向範囲１７に、外装体２０に接合された接合部３０をそれぞれ有しており、これら接合部３０と対応する幅方向範囲１７の間の領域は、外装体２０に接合されておらず、幅が拡大可能である拡幅領域１８となっている。また、外装体２０は、胴周り部Ｔと拡幅領域１８とが重なる領域に、胴周り弾性部材２５により幅方向ＷＤに弾性伸縮する伸縮領域を有している。このように構成されたパンツタイプ使い捨ておむつでは、脚開口に脚を通す際には、胴周り部Ｔを広げる方向の力がほとんど加わらないため、図１０及び図１１に示すように、胴周り部Ｔの伸縮領域は幅方向ＷＤに伸長しておらず、拡幅領域１８も幅方向ＷＤに拡大していない状態にある。つまり内装体１０は最小幅の状態にある。この状態からパンツタイプ使い捨ておむつを引き上げて装着状態までもっていくと、図１２及び図１３に示すように、胴周り部Ｔを広げる方向の力が加わるため、伸縮領域が幅方向ＷＤに伸長し、これに伴い拡幅領域１８も拡大し、内装体１０の幅が拡大する。したがって、脚を通す際には内装体１０の幅が狭いため股間部に脚が引っ掛かりにくくなり、装着後は内装体１０の幅が拡大して股間部において内腿の付根にしっかりとフィットさせることができる。しかも、内装体１０の幅は弾性力により拡大されており、拡大後の幅を維持する方向に弾性力が作用するため、良好なフィット性が維持される。そして、特にこの形態では、装着者の体の大きさの目安となる胴周り寸法に応じて自動的に内装体１０の幅が変化するため、フィット性により優れたものとなる。
【００４４】
内装体１０の拡幅領域１８は幅が拡大可能である限り、内装体１０の素材自体が幅方向ＷＤに伸長可能である構造等、その構造は特に限定されない。図示形態の拡幅領域１８は、自然長の状態では、図１０及び図１１に示すように幅方向ＷＤの両側の部分が幅方向ＷＤに複数回折り返された折り畳み部分となっており、図１２及び図１３に示すようにこの折り畳み部分が展開することにより拡幅領域１８の幅が拡大する構造を有するものである。このような構造とすることにより、特別な伸縮素材や特別な伸縮構造を用いなくても、本技術分野で公知の手法により伸縮変化の大きな拡幅領域１８を形成することができる。折り畳み部分は図示形態のように表側への折り返しが複数回なされている構造が好ましいが、裏側への折り返しが複数回なされている構造とすることもできる。
【００４５】
吸収体１３は、内装体１０の両側部まで設けられていても、また内装体１０の幅方向ＷＤの中間部のみに設けられており、両側部に吸収体１３のない部分を有していてもよい。吸収体１３は複数設けられていてもよい。図示形態のように、拡幅領域１８が折り返し構造を有する場合には、吸収体１３を幅方向ＷＤに複数並べて、隣り合う吸収体１３の間の位置を折り返し位置とするのは一つの好ましい形態である。図示しないが、折り返し位置を跨ぐように吸収体１３を設け、吸収体１３の折り返し位置に、前後方向ＬＤに沿うスリットやエンボスのような折り返しを容易にする部分を設けてもよい。
【００４６】
図示形態では、拡幅領域１８の数は、内装体１０の幅方向ＷＤの両側の２か所となっているが、３か所以上とすることもできる。拡幅領域の寸法は適宜定めることができるが、図示形態のように拡幅領域が２つの場合、例えば個々の拡幅領域は、拡大前の状態の幅が２０．０〜６０．０ｍｍ程度、最大拡幅後の状態の幅が４０．０〜１２０．０ｍｍ程度とすることができる。
【００４７】
接合部３０は拡幅領域１８の幅方向ＷＤの両側に設けられるため、この限りにおいて、接合部３０の数及び位置は拡幅領域１８の数に応じて定めることができる。図１０〜図１３に示される形態では、内装体１０の幅方向ＷＤの中央部に前後方向ＬＤ全体にわたる接合部３０が設けられるとともに、内装体１０の幅方向ＷＤの両端部には前後端部のみに接合部３０が設けられており、これら接合部３０と対応する幅方向範囲１７の間に拡幅領域１８が設けられている。また、後述する図１４〜図１７に示される形態では、内装体１０と弾性帯４０とが重なる部分では幅方向ＷＤの両端部のみに、及び内装体１０と弾性帯４０ではなく外装体２０と重なる部分には幅方向ＷＤの中央部のみに接合部３０が設けられている。このように、拡幅領域１８が拡幅可能である限り、内装体１０を外装体２０に対して確実に支持するために、内装体１０の適宜の部位を外装体２０に固定することができる。
【００４８】
接合部の幅は適宜定めれば良いが、通常の場合５．０〜１５０．０ｍｍ程度とすることが望ましい。
【００４９】
内装体１０の股間幅の変化は小さすぎたり、大きすぎたりすると、穿きやすさ及び股間部のフィット性のいずれか又は両方が不十分となるおそれがある。よって、通常の場合、未使用の自然長の状態における内装体１０の股間幅Ｃ１は、外装体２０を幅方向ＷＤに最大伸長させたときの内装体１０の股間幅Ｃ２の０．４〜０．７倍であると好ましい。
【００５０】
外装体２０は、図示形態のように、前身頃Ｆの胴周り部Ｔから股間部を経て後身頃Ｂの胴周り部Ｔまで前後方向ＬＤに一体的に延びるとともに、前身頃Ｆの胴周り部Ｔと後身頃Ｂの胴周り部Ｔとの間の脚周り形成部Ｌに、当該脚周り形成部Ｌの前後方向ＬＤの中間に向かうにつれて連続的又は段階的に幅が狭くなる括れ部２９を有すると、外装体２０により股間部をしっかりと支持する構造となるため好ましい。そして、この場合、未使用の自然長の状態では、内装体１０の股間幅は外装体２０の股間幅と同じか又はより狭く（図１０に示す形態は同じでＣ１に等しい）、外装体２０の胴周り部Ｔを幅方向ＷＤに１．２倍以上伸長した状態では、内装体１０の股間幅（図１２に示す形態ではＣ２に等しい）が外装体２０の股間幅よりも広くなるものであると、脚を通すときには内装体１０の股間幅Ｃ１を外装体２０の股間幅以下の狭さにして脚の通しやすさを最大限発揮させ、装着時には内装体１０の股間幅Ｃ２を外装体２０の股間幅より広くして内腿の付け根に対するフィット性を向上させることができるため好ましい。
【００５１】
他方、図１４〜図１７に示すように、前身頃Ｆ及び後身頃Ｂの両方に、胴周り部Ｔと内装体１０との間を通り、内装体１０の両側縁よりも幅方向ＷＤの両側に延びる、幅方向ＷＤに弾性伸縮する弾性帯４０をそれぞれ設け、この弾性帯４０を利用して内装体１０の幅拡大を図る形態も提案される。すなわち、この形態では、弾性帯４０の両端部４２は外装体２０に固定され、弾性帯４０の両端部４２の間の部分は外装体２０に固定されていない。また、内装体１０における弾性帯４０と重なる部分は、幅方向ＷＤに間隔を空けて位置する複数の幅方向範囲１７に、弾性帯４０に接合された接合部３０をそれぞれ有しており、これら接合部３０と対応する幅方向範囲１７の間の領域は、外装体２０及び弾性帯４０に接合されておらず、幅が拡大可能である拡幅領域１８となっており、弾性帯４０は、幅方向ＷＤに隣り合う接合部３０の間に、自身を切断するためのミシン目４１を有している。さらに、外装体２０は、胴周り部Ｔと拡幅領域１８とが重なる領域に、胴周り弾性部材２５により幅方向ＷＤに弾性伸縮する伸縮領域を有している。
【００５２】
この弾性帯４０を有する形態では、脚開口に脚を通す際には、胴周り部Ｔを広げる方向の力がほとんど加わらないため、図１４及び図１５に示すように、胴周り部Ｔの伸縮領域及び弾性帯４０は幅方向ＷＤに伸長しておらず、拡幅領域１８も幅方向ＷＤに拡大していない状態にある。つまり内装体１０は最小幅の状態にある。この状態からパンツタイプ使い捨ておむつを引き上げて装着状態までもっていくと、図１６及び図１７に示すように、胴周り部Ｔを広げる方向の力が加わり、伸縮領域及び弾性帯４０が幅方向ＷＤに伸長し、弾性帯４０がミシン目４１で自動的に切断する。この弾性帯４０の分断に伴い、弾性帯４０の収縮力が、内装体１０の接合部３０を外装体２０の固定部４２側に引き寄せるように作用することにより、内装体１０の拡幅領域１８が拡大し、内装体１０の幅が拡大する。したがって、脚を通す際には内装体１０の幅が狭いため股間部に脚が引っ掛かりにくくなり、装着後は内装体１０の幅が拡大して股間部において内腿の付根にしっかりとフィットさせることができる。しかも、内装体１０の幅は弾性力により拡大されており、拡大後の幅を維持する方向に弾性力が作用するため、良好なフィット性が維持される。そして、弾性帯４０を有する形態では、外装体２０の伸縮性を利用して内装体１０の幅拡大を行う前述の形態と異なり、内装体１０の幅拡大を行う弾性帯４０を追加したことにより、外装体２０の伸縮性に影響を与えることなく、独立的に内装体１０の幅拡大を行うことができ、外装体２０のフィット性と内装体１０のフィット性とを独立に設定することができる。
【００５３】
弾性帯４０としては、ゴムシートのような弾性素材そのものの他、不織布等のシートを積層するとともにその層間に糸ゴム等の弾性部材を介在させたもの（外装体２０と同様の構造）等を用いることができる。
【００５４】
その他は、弾性帯４０を有しない形態と同様であるため説明を省略する。
【００５５】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
・「展開状態」とは、収縮や弛み無く平坦に展開した状態を意味する。
・「伸長率」は、自然長を１００％としたときの値を意味する。
・試験や測定における環境条件についての記載が無い場合、その試験や測定は、標準状態（試験場所は、温度２０±５℃、相対湿度６５％以下）の試験室又は装置内で行うものとする。
・各部の寸法は、特に記載が無い限り、自然長状態ではなく展開状態における寸法を意味する。
【産業上の利用可能性】
【００５６】
本発明は、パンツタイプ使い捨ておむつに利用できるものである。
【符号の説明】
【００５７】
Ｂ…後身頃、Ｆ…前身頃、Ｌ…脚周り形成部、ＬＤ…前後方向、Ｔ…胴周り部、ＷＤ…幅方向、１０…内装体、１１…トップシート、１２…液不透過性シート、１３…吸収体、１４…包装シート、１５…ギャザーシート、１６…ギャザー弾性部材、１７…幅方向範囲、１８…拡幅領域、２０…外装体、２０Ｃ…折り返し部分、２１…サイドシール部、２４…ウエスト部弾性部材、２５，２７…胴周り弾性部材、２６…背側湾曲弾性部材、２８…腹側湾曲弾性部材、２９…括れ部、３０…接合部、４０…弾性帯、４１…ミシン目。
【図１】
2018033749.tif 000003
【図２】
2018033749.tif 000004
【図３】
2018033749.tif 000005
【図４】
2018033749.tif 000006
【図５】
2018033749.tif 000007
【図６】
2018033749.tif 000008
【図７】
2018033749.tif 000009
【図８】
2018033749.tif 000010
【図９】
2018033749.tif 000011
【図１０】
2018033749.tif 000012
【図１１】
2018033749.tif 000013
【図１２】
2018033749.tif 000014
【図１３】
2018033749.tif 000015
【図１４】
2018033749.tif 000016
【図１５】
2018033749.tif 000017
【図１６】
2018033749.tif 000018
【図１７】
2018033749.tif 000019